(57)【要約】【課題】走査線の配線抵抗に起因した輝度傾斜を実質的に無くす。【解決手段】平面表示装置は略平行な複数の走査線Ｙと、複数の走査線Ｙに略直交する複数の信号線Ｘと、複数の走査線Ｙおよび複数の信号線Ｘとの交差位置近傍に配置され各々一対の走査線Ｙおよび信号線Ｙ間の画素電圧に対応して自己発光する複数の表示画素ＰＸと、複数の走査線Ｙを順次駆動する走査線駆動回路３と、走査線駆動回路３によって複数の走査線Ｙの各々が駆動される間に複数の信号線Ｘを駆動する信号線駆動回路２とを備える。特に、走査線駆動回路３は複数の表示画素ＰＸを発光させる発光電流によって複数の走査線Ｙの配線抵抗に生じる電圧降下の分布を所定フレーム数単位および所定走査線数単位の少なくとも一方で逆転させるように構成される。【選択図】図１
2005284088.tif 000002
【特許請求の範囲】
【請求項１】
略平行な複数の走査線と、前記複数の走査線に略直交する複数の信号線と、前記複数の走査線および前記複数の信号線との交差位置近傍に配置され各々一対の走査線および信号線間の画素電圧に対応して自己発光する複数の表示画素と、前記複数の走査線を順次駆動する走査線駆動回路と、前記走査線駆動回路によって前記複数の走査線の各々が駆動される間に前記複数の信号線を駆動する信号線駆動回路とを備え、前記走査線駆動回路は前記複数の表示画素を発光させる発光電流によって前記複数の走査線の配線抵抗に生じる電圧降下の分布を所定フレーム数単位および所定走査線数単位の少なくとも一方で逆転させるように構成されることを特徴とする平面表示装置。
【請求項２】
前記走査線駆動回路は、前記複数の走査線のうちの奇数番目の走査線を一端側から駆動する第１ドライバ部と、前記複数の走査線のうちの偶数番目の走査線を他端側から駆動する第２ドライバ部とを含むことを特徴とする請求項１に記載の平面表示装置。
【請求項３】
前記走査線駆動回路は、２隣接フレーム期間の一方で前記複数の走査線を一端側から駆動する第１ドライバ部と、前記２隣接フレーム期間の他方で前記複数の走査線を他端側から駆動する第２ドライバ部とを含むことを特徴とする請求項１に記載の平面表示装置。
【請求項４】
前記走査線駆動回路は、２隣接フレーム期間の一方で前記複数の走査線のうちの奇数番目の走査線を一端側から駆動し前記２隣接フレーム期間の他方で前記複数の走査線のうちの偶数番目の走査線を前記一端側から駆動する第１ドライバ部と、前記２隣接フレーム期間の一方で前記複数の走査線のうちの偶数番目の走査線を他端側から駆動し前記２隣接フレーム期間の他方で前記複数の走査線のうちの奇数番目の走査線を前記他端側から駆動する第２ドライバ部とを含むことを特徴とする請求項１に記載の平面表示装置。
【請求項５】
前記所定フレーム数および前記所定走査線数の少なくとも一方は２以上であることを特徴とする請求項１に記載の平面表示装置。
【請求項６】
前記表示画素は、電子ビームを放出する表面伝導型電子放出素子であることを特徴とする請求項１乃至５に記載の平面表示装置。
【請求項７】
略平行な複数の走査線と、前記複数の走査線に略直交する複数の信号線と、前記複数の走査線および前記複数の信号線との交差位置近傍に配置され各々一対の走査線および信号線間の画素電圧に対応して電子ビームを放出する表面伝導型電子放出素子を含む複数の表示画素とを備える平面表示装置の表示用駆動方法であって、前記複数の走査線を順次駆動する処理と、前記複数の走査線の各々が駆動される間に前記複数の信号線を駆動する処理とを備え、前記複数の走査線を駆動する処理は前記複数の表示画素を発光させる発光電流によって前記複数の走査線の配線抵抗に生じる電圧降下の分布を所定フレーム数単位および所定走査線数単位の少なくとも一方で逆転させるように行われることを特徴とする表示用駆動方法。
【請求項８】
前記複数の走査線を駆動する処理は、前記複数の走査線のうちの奇数番目の走査線を一端側から駆動し、前記複数の走査線のうちの偶数番目の走査線を他端側から駆動する処理を含むことを特徴とする請求項７に記載の表示用駆動方法。
【請求項９】
前記複数の走査線を駆動する処理は、２隣接フレーム期間の一方で前記複数の走査線を一端側から駆動し、前記２隣接フレーム期間の他方で前記複数の走査線を他端側から駆動する処理を含むことを特徴とする請求項７に記載の表示用駆動方法。
【請求項１０】
前記複数の走査線を駆動する処理は、２隣接フレーム期間の一方で前記複数の走査線のうちの奇数番目の走査線および偶数番目の走査線をそれぞれ一端側および他端側から駆動し、前記２隣接フレーム期間の他方で前記複数の走査線のうちの奇数番目の走査線および偶数番目の走査線をそれぞれ前記他端側および前記一端側から駆動する処理を含むことを特徴とする請求項７に記載の表示用駆動方法。
【請求項１１】
前記所定フレーム数および前記所定走査線数の少なくとも一方は２以上であることを特徴とする請求項７に記載の表示用駆動方法。
【請求項１２】
前記表示画素は、電子ビームを放出する表面伝導型電子放出素子であることを特徴とする請求項７乃至１１に記載の表示用駆動方法。
【発明の詳細な説明】
【技術分野】
【０００１】
本発明は複数の表示画素が表面伝導型電子放出素子を用いて構成されるフィールド・エミッション・ディスプレイ（ＦＥＤ）のような平面表示装置、並びにこの平面表示装置のための表示用駆動方法に関する。
【背景技術】
【０００２】
ＦＥＤは、一般に表示パネルとこの表示パネルを駆動する駆動ユニットとを備える。表示パネルは、横（水平）方向に伸びる複数の走査線、これら走査線に交差して縦（垂直）方向に伸びる複数の信号線、並びにこれら走査線および信号線の交差位置に配置される複数の表示画素を含む（例えば、特許文献１参照）。カラー表示用の表示パネルでは、例えば水平方向において隣接する３個の表示画素がカラー表示画素として用いられる。各表示画素は表面伝導型電子放出素子およびこの電子放出素子から放出される電子ビームにより発光する赤（Ｒ）、緑（Ｇ）または青（Ｂ）の蛍光体で構成される。
【０００３】
駆動ユニットは複数の走査線に接続される走査線駆動回路と、複数の信号線に接続される信号線駆動回路を含む。通常、走査線駆動回路は走査信号を用いて複数の走査線を順次駆動し、信号線駆動回路は各走査線が駆動される間に映像信号の階調レベルに対応したパルス幅の駆動信号により複数の信号線を駆動する。各表示画素は対応信号線および対応走査線間の画素電圧に対応した輝度で発光する。
【０００４】
ところで、各走査線は配線抵抗（すなわち、分布定数ｚ）を持ち、走査線駆動回路からの距離によって異なる電圧降下を発生させる。このため、例えば同一階調レベルの映像信号に対応して１水平ラインの表示画素を駆動しても、これら表示画素を均一な輝度分布で発光させることができない。画素電圧の実効値は走査線駆動回路に近い表示画素ほど高くなり、走査線駆動回路から遠い表示画素ほど低くなる。
【特許文献１】特開２００２−２２１９３３号公報
【発明の開示】
【発明が解決しようとする課題】
【０００５】
近年では、表示パネルのアスペクト比が横：縦＝１６：９のような横長のものが主流になりつつある。このような画面サイズの場合、多数の表示画素が各走査線に接続されるため、この走査線の配線抵抗による影響を無視できない。例えばカラー表示画素数が横：縦＝１２８０：７２０の場合には、１２８０×３（ＲＧＢ）個の表面伝導型電子放出素子が各走査線に接続されることから、少なくとも２〜３Ｖの電位差が配線抵抗による電圧降下のために走査線の両端間に生じる。これは走査線に沿って並ぶ表示画素に輝度傾斜を持たせてしまう結果となり、表示品位を著しく低下させる。例えば複数の走査線の左端側および右端側に第１および第２走査線ドライバをそれぞれ設け、これら走査線ドライバにより各走査線の両端を同時に駆動すれば、これら走査線ドライバから最も遠い中央の表示画素までの距離を走査線の長さのほぼ半分にして輝度傾斜を低減できる。しかし、この輝度傾斜を無くすことはできない。
【０００６】
本発明の目的は走査線の配線抵抗に起因した輝度傾斜を実質的に無くすことができる平面表示装置および表示用駆動方法を提供することにある。
【課題を解決するための手段】
【０００７】
本発明によれば、略平行な複数の走査線と、複数の走査線に略直交する複数の信号線と、複数の走査線および複数の信号線との交差位置近傍に配置され各々一対の走査線および信号線間の画素電圧に対応して自己発光する複数の表示画素と、複数の走査線を順次駆動する走査線駆動回路と、走査線駆動回路によって複数の走査線の各々が駆動される間に複数の信号線を駆動する信号線駆動回路とを備え、走査線駆動回路は複数の表示画素を発光させる発光電流によって複数の走査線の配線抵抗に生じる電圧降下の分布を所定フレーム数単位および所定走査線数単位の少なくとも一方で逆転させるように構成される平面表示装置が提供される。
【０００８】
さらに本発明によれば、略平行な複数の走査線と、複数の走査線に略直交する複数の信号線と、複数の走査線および複数の信号線との交差位置近傍に配置され各々一対の走査線および信号線間の画素電圧に対応して電子ビームを放出する表面伝導型電子放出素子を含む複数の表示画素とを備える平面表示装置の表示用駆動方法であって、複数の走査線を順次駆動する処理と、複数の走査線の各々が駆動される間に複数の信号線を駆動する処理とを備え、複数の走査線を駆動する処理は複数の表示画素を発光させる発光電流によって複数の走査線の配線抵抗に生じる電圧降下の分布を所定フレーム数単位および所定走査線数単位の少なくとも一方で逆転させるように行われる表示用駆動方法が提供される。
【発明の効果】
【０００９】
これら平面表示装置および表示用駆動方法では、発光電流によって複数の走査線の配線抵抗に生じる電圧降下の分布が所定フレーム数単位および所定走査線数単位の少なくとも一方で逆転する。電圧降下の分布は各走査線に沿って並ぶ表示画素の輝度分布に反映されるが、これら表示画素の輝度差は電圧降下の分布が逆転されることにより平均化され、観察者が実際の輝度差を感じ取ることができない。従って、走査線の配線抵抗に起因した輝度傾斜を実質的に無くすことがきる。
【発明を実施するための最良の形態】
【００１０】
以下、本発明の第１実施形態に係る平面表示装置について図面を参照して説明する。この平面表示装置は例えば横１２８０×縦７２０のカラー表示画素数を持つフィールド・エミッション・ディスプレイ（ＦＥＤ）装置である。
【００１１】
図１はこの平面表示装置の回路構成を概略的に示す。平面表示装置は表示パネル１、信号線駆動回路２、走査線駆動回路３、および映像信号処理回路４を備える。表示パネル１は横（水平）方向に伸びる略平行なｍ（＝７２０）本の走査線Ｙ（Ｙ１〜Ｙｍ）、これら走査線Ｙ１〜Ｙｍに略直交して縦（垂直）方向に伸びるｎ（＝１２８０×３）本の信号線Ｘ（Ｘ１〜Ｘｎ）、並びにこれら走査線Ｙ１〜Ｙｍおよび信号線Ｘ１〜Ｘｎの交差位置に配置されるｍ×ｎ（＝約２７６万）個の表示画素ＰＸを含む。各カラー表示画素は水平方向において隣接する３個の表示画素ＰＸにより構成される。このカラー表示画素では、３個表示画素ＰＸがそれぞれ表面伝導型電子放出素子１１およびこれら電子放出素子１１から放出される電子ビームにより発光する赤（Ｒ）、緑（Ｇ）、および青（Ｂ）の蛍光体１２により構成される。各走査線Ｙは対応水平ラインの表示画素ＰＸの電子放出素子１１に接続される走査電極として用いられ、各信号線Ｘは対応列の表示画素ＰＸの電子放出素子１１に接続される信号電極として用いられる。
【００１２】
信号線駆動回路２、走査線駆動回路３、および映像信号処理回路４は表示用駆動ユニットとして表示パネル１の周囲に配置され、例えば外部のタイミングコントローラ（図示せず）により制御される。映像信号処理回路４は外部の信号源から供給されるＲＧＢ映像信号をデジタル形式で処理する。走査線駆動回路３は走査信号を用いて走査線Ｙ１〜Ｙｍを順次駆動し、信号線駆動回路２は走査線Ｙ１〜Ｙｍの各々が走査線駆動回路３によって駆動される間に映像信号処理回路４からの映像信号に対応して信号線Ｘ１〜Ｘｎを駆動する。走査線駆動回路３は例えば走査線Ｙ１〜Ｙｍの左端側および右端側にそれぞれ配置される第１および第２走査線ドライバ３Ａ，３Ｂを含む。走査線ドライバ３Ａ，３Ｂ、および信号線駆動回路２の各々はドライバＩＣとして形成されている。走査線ドライバ３Ａは奇数番目の走査線Ｙ１,Ｙ３，Ｙ５，…，Ｙｍ−１の左端に接続され、第２走査線ドライバ３Ｂは偶数番目の走査線Ｙ２,Ｙ４，Ｙ６，…，Ｙｍの右端に接続される。
【００１３】
映像信号処理回路４は、例えば高輝度部分の面積が多い画像パターンについて輝度を一律に低下させるために１フレーム分のＲＧＢ映像信号のレベルを合計して平均レベルを検出し、この平均レベルに基づいてＲＧＢ映像信号を調整して信号線駆動回路２に供給する。
【００１４】
信号線駆動回路２では、映像信号が上述のタイミングコントローラから映像信号に同期して供給されるデータクロック信号ＤＣＫに応答して信号線Ｘ１側から順次サンプリングされ、それぞれのサンプル結果に対応するパルス幅を有するｎ個のＰＷＭ駆動信号に変換される。これらＰＷＭ駆動信号はタイミングコントローラから水平同期信号に同期して供給されるロード信号ＬＤに応答してそれぞれ同時に信号線Ｘ１〜Ｘｎに供給される。
【００１５】
図１において、ｚは走査線Ｙ１〜Ｙｍの各々において分布する配線抵抗であり、i11からimnはｍ×ｎ個の表面伝導型電子放出素子１１の放電時にそれぞれ流れる発光電流であり、Ｖｙは走査線駆動回路３の出力端電圧であり、ΔＶ１〜ΔＶｍは、ｎ個の表面伝導型電子放出素子１１の放電時に発光電流が走査線Ｙ１〜Ｙｍの配線抵抗を介して流れることにより起きる電圧降下の合計値である。
【００１６】
これらΔＶ１，ΔＶ２，ΔＶ３，…ΔＶｍは、次のような値である。
【００１７】
ΔＶ１＝ｚ×i11 ＋２×ｚ×i12＋ - - - - ＋ n×ｚ×i1n
ΔＶ２＝ｚ×i21 ＋２×ｚ×i22＋ - - - - ＋ n×ｚ×i2n
ΔＶ３＝ｚ×i31 ＋２×ｚ×i32＋ - - - - ＋ n×ｚ×i3n
ΔＶｍ＝ｚ×im1 ＋２×ｚ×im2＋ - - - - ＋ n×ｚ×imn
各水平ラインの表示画素ＰＸが信号線Ｘ１〜Ｘｎを介して駆動されると、これら表示画素ＰＸのうちで黒表示のものを除いた表示画素ＰＸの電子放出素子１１にそれぞれ発光電流が流れ、さらにこれら発光電流の全てが１走査線Ｙを介して走査線駆動回路３に流れる。具体的には、各表示画素ＰＸの最大電流を最大５００μＡとすると、電流は合計で１．９２Ａになる。
【００１８】
走査線ドライバ３Ａ，３Ｂから遠い表示画素ＰＸほど、配線抵抗および発光電流に依存した電圧降下ΔＶ１〜ΔＶｍの影響を受ける。各走査線Ｙの全配線抵抗を４Ωとし、電流（１．９２Ａ）×配線抵抗（４Ω）で単純に電圧降下を求めると、この電圧降下は７．６８Ｖになる。実際は配線抵抗と電流が分散するので２Ｖ程度となる。このような、電圧降下があると、表面伝導型電子放出素子１１に加わる画素電圧が低下して本来の発光能力を発揮できない。
【００１９】
ここでは、走査線ドライバ３Ａ，３Ｂが複数の表示画素ＰＸを発光させる発光電流によって複数の走査線Ｙの配線抵抗に生じる電圧降下の分布を１本という所定走査線数単位で逆転させるようにそれぞれ構成される。具体的には、走査線ドライバ３Ａが奇数番目の走査線Ｙ１,Ｙ３，Ｙ５，…Ｙｍ−１を左端から駆動し、走査線ドライバ３Ｂが偶数番目の走査線Ｙ２,Ｙ４，Ｙ６，…Ｙｍを右端から駆動する。
【００２０】
映像信号からＰＷＭ駆動信号への変換では、図２に示すように駆動信号のパルス幅が映像信号が最小階調レベルである第０階調に対して０に設定され、第１階調に対してＴに設定され、第ｊ階調に対してＴのｊ倍に設定される。映像信号が第０階調から第１０２３階調までの１０２４段階であれば、Ｔは映像信号が最大階調レベルである第１０２３階調のときでも、ＰＷＭ駆動信号のパルス幅が１水平走査期間を超えないように例えば１水平走査期間のうちの有効映像期間の１／１０２３に等しい期間に予め設定される。
【００２１】
走査線ドライバ３Ａ，３Ｂは走査線Ｙ１，Ｙ３，Ｙ５，…，Ｙｍ−１の左端にそれぞれ接続されるｍ／２個の出力端、Ｙ２，Ｙ４，Ｙ６，…，Ｙｍの右端にそれぞれ接続される出力端をそれぞれ有し、各々順次ｍ／２個の出力端を選択し、選択した出力端から走査信号を出力する。ここで、スタート信号ＳＴはそれぞれ走査線Ｙ１，走査線Ｙ２側から走査を開始するために上述のタイミングコントローラから垂直同期信号に同期して供給され、イネーブル信号ＥＮは出力の可否を制御するためにタイミングコントローラから供給され、クロック信号ＣＫは次ラインに走査位置をシフトさせるためにタイミングコントローラから２水平走査期間毎に供給される。
【００２２】
走査信号は走査電圧端子から供給される負の電圧Ｖyonであり、図２に示すように１水平走査期間だけ出力される。各電子放出素子１１では、信号電極の電圧Ｖx(＝Ｖref+ΔＶ)と走査電極の電圧Ｖyとの和がスレッショルドを越えたときに放電が起き、これにより放出される電子ビームが蛍光体１２を励起する。尚、走査線Ｙ１〜Ｙｍを１水平走査期間づつ順次駆動させるために、スタート信号ＳＴ，クロック信号ＣＫおよびイネーブル信号ＥＮは、互いに１水平走査期間だけずれて走査線ドライバ３Ａおよび走査線ドライバ３Ｂに供給される。
【００２３】
本実施形態の平面表示装置では、発光電流によって複数の走査線Ｙの配線抵抗ｚに生じる電圧降下の分布が１本という所定走査線数単位で逆転する。すなわち、図３に示す電圧降下の分布が奇数番目の走査線Ｙ１，Ｙ３，Ｙ５，…，Ｙｍ−１に生じ、図４に示す電圧降下の分布が偶数番目の走査線Ｙ２，Ｙ４，Ｙ６，…，Ｙｍに生じる。電圧降下の分布は各走査線Ｙに沿って並ぶ表示画素ＰＸの輝度分布に反映されるが、これら表示画素ＰＸの輝度差は電圧降下の分布が逆転されることにより図５に示すように平均化され、観察者が実際の輝度差を感じ取ることができない。従って、走査線の配線抵抗ｚに起因した輝度傾斜を実質的に無くすことがきる。また、上述の構成では、走査線ドライバ３Ａが奇数番目の走査線Ｙ１,Ｙ３，Ｙ５，…，Ｙｍ−１を駆動し、走査線ドライバ３Ｂが偶数番目の走査線Ｙ２,Ｙ４，Ｙ６，…，Ｙｍを駆動するため、走査線ドライバ３Ａおよび走査線ドライバ３Ｂの出力チャンネル数を各々が全走査線Ｙ１，Ｙ２，Ｙ３，…，Ｙｍを駆動する場合の半分にすることができるため、ドライバＩＣの回路規模を低減でき、コストダウンを図ることができる。また、走査線ドライバ３Ａおよび走査線ドライバ３Ｂが複数個のドライバＩＣで構成される場合、ＩＣの使用数を半数にすることができるため、コストダウンを図ることができる．
尚、第１実施形態では、所定走査線数が１本に設定され、電圧降下の分布を奇数番目の走査線Ｙ１，Ｙ３，Ｙ５，…，Ｙｍ−１および偶数番目の走査線Ｙ２,Ｙ４，Ｙ６，…，Ｙｍ間で互いに逆転させているが、走査線Ｙの総数が極めて多い場合には所定走査線数を２本以上に設定しても同様の効果を得ることができる。
【００２４】
次に、本発明の第２実施形態に係る平面表示装置について図面を参照して説明する。
【００２５】
図６はこの平面表示装置の回路構成を概略的に示す。この平面表示装置は走査線駆動回路３の構成を除いて第１実施形態と同様に構成される。このため、図６では、第１実施形態と同様部分を同一参照符号で表し、その詳細な説明を省略する。
【００２６】
走査線駆動回路３は第１実施形態と同様に走査線Ｙ１〜Ｙｍの左端側および右端側にそれぞれ配置される第１および第２走査線ドライバ３Ａ，３Ｂと、走査線ドライバ３Ａ，３に付加される第１および第２スイッチ回路３ＳＡ，３ＳＢとを含む。これら走査線ドライバ３Ａ，３Ｂは、これらスイッチ回路３ＳＡ，３ＳＢと協力して、複数の表示画素ＰＸを発光させる発光電流によって複数の走査線Ｙの配線抵抗に生じる電圧降下の分布を１本という所定走査線数単位で逆転させると共に１フレームという所定フレーム数単位で逆転させるようにそれぞれ構成される。走査線ドライバ３Ａおよびスイッチ回路３ＳＡは走査線Ｙ１〜Ｙｍの左端側のドライバ部であり、走査線ドライバ３Ｂおよびスイッチ回路３ＳＢはＹ１〜Ｙｍの右端側のドライバ部である。
【００２７】
走査線ドライバ３Ａ，３Ｂはそれぞれｍ／２個の出力端を有するドライバＩＣであり、各々順次ｍ／２個の出力端を選択し、選択された出力端から走査信号を出力する。ここで、スタート信号ＳＴはそれぞれ走査線Ｙ１，走査線Ｙ２側から走査を開始するために上述のタイミングコントローラから垂直同期信号に同期して供給され、イネーブル信号ＥＮは出力の可否を制御するためにタイミングコントローラから供給され、クロック信号ＣＫは次ラインに走査位置をシフトさせるためにタイミングコントローラから２水平走査期間毎に供給される。スイッチ回路３ＳＡは走査線ドライバ３Ａの出力端を奇数番目の走査線Ｙ１,Ｙ３，Ｙ５，…，Ｙｍ−１の左端または偶数番目の走査線Ｙ２,Ｙ４，Ｙ６，…，Ｙｍの左端にそれぞれ接続するｍ／２個の切換スイッチ３３を含み、スイッチ回路３ＳＢは走査線ドライバ３Ｂの出力端を奇数番目の走査線Ｙ１,Ｙ３，Ｙ５，…，Ｙｍ−１の右端または偶数番目の走査線Ｙ２,Ｙ４，Ｙ６，…，Ｙｍの右端にそれぞれ接続するｍ／２個の切換スイッチ３３を含む。スイッチ回路３ＳＡの切換スイッチ３３はそれぞれタイミングコントローラから供給される切換信号Ｓにより制御され、スイッチ回路３ＳＢの切換スイッチ３３はタイミングコントローラから供給され切換信号Ｓの反転信号である切換信号Ｓバーにより制御される。これら切換信号ＳおよびＳバーは１フレーム期間（垂直走査期間）毎に反転され、この１フレーム期間持続的に供給される。
【００２８】
２隣接フレーム期間のうちの一方では、図７に示すようにスイッチ回路３ＳＡが走査線ドライバ３Ａを奇数番目の走査線Ｙ１,Ｙ３，Ｙ５，…，Ｙｍ−１に割り当て、スイッチ回路３ＳＢが走査線ドライバ３Ｂを偶数番目の走査線Ｙ２,Ｙ４，Ｙ６，…，Ｙｍに割り当てる。これにより、走査線ドライバ３Ａが奇数番目の走査線Ｙ１，Ｙ３，Ｙ５，…，Ｙｍ−１を左端から駆動し、走査線ドライバ３Ｂが偶数番目の走査線Ｙ２,Ｙ４，Ｙ６，…，Ｙｍを右端から駆動する。すなわち、走査線Ｙ１，Ｙ２，Ｙ３，…，Ｙｍは走査線ドライバ３Ａ，３Ｂから交互に供給される走査信号により順次駆動される。
【００２９】
２隣接フレーム期間のうちの他方では、図８に示すようにスイッチ回路３ＳＡが走査線ドライバ３Ａを偶数番目の走査線Ｙ２,Ｙ４，Ｙ６，…，Ｙｍに割り当て、スイッチ回路３ＳＢが走査線ドライバ３Ｂを奇数番目の走査線Ｙ１，Ｙ２,Ｙ３，Ｙ５，…，Ｙｍ−１に割り当てる。これにより、走査線ドライバ３Ａが偶数番目の走査線Ｙ２,Ｙ４，Ｙ６，…，Ｙｍを左端から駆動し、走査線ドライバ３Ｂが奇数番目の走査線Ｙ１，Ｙ３，Ｙ５，…，Ｙｍ−１を右端から駆動する。すなわち、走査線Ｙ１，Ｙ２，Ｙ３，…，Ｙｍは走査線ドライバ３Ｂ，３Ａから交互に供給される走査信号により順次駆動される。
【００３０】
走査信号は走査電圧端子から供給される負の電圧Ｖyonであり、第１実施形態で説明したように１水平走査期間だけ出力される。各電子放出素子１１では、信号電極の電圧Ｖx(＝Ｖref+ΔＶ)と走査電極の電圧Ｖyとの和がスレッショルドを越えたときに放電が起き、これにより放出される電子ビームが蛍光体１２を励起する。尚、走査線Ｙ１〜Ｙｍを１水平走査期間づつ順次駆動させるために、スタート信号ＳＴ，クロック信号ＣＫおよびイネーブル信号ＥＮは、互いに１水平走査期間だけずれて走査線ドライバ３Ａおよび走査線ドライバ３Ｂに供給される。
【００３１】
本実施形態の平面表示装置では、発光電流によって複数の走査線Ｙの配線抵抗ｚに生じる電圧降下の分布が１本という所定走査線数単位で逆転し、さらに１フレームという所定フレーム数単位で逆転する。すなわち、一方のフレームで、図３と同様な電圧降下の分布が奇数番目の走査線Ｙ１，Ｙ３，Ｙ５，…，Ｙｍ−１に生じ、図４と同様な電圧降下の分布が偶数番目の走査線Ｙ２，Ｙ４，Ｙ６，…，Ｙｍに生じる。また、他方のフレームで、図３と同様な電圧降下の分布が偶数番目の走査線Ｙ２，Ｙ４，Ｙ６，…，Ｙｍに生じ、図４と同様な電圧降下の分布が奇数番目の走査線Ｙ１，Ｙ３，Ｙ５，…，Ｙｍ−１に生じる。
【００３２】
電圧降下の分布は各走査線Ｙに沿って並ぶ表示画素ＰＸの輝度分布に反映されるが、これら表示画素ＰＸの輝度差は電圧降下の分布が逆転されることによりいずれのフレームでも図５と同様に平均化される。特に上述のように所定走査線数単位および所定フレーム数単位が組み合わされる場合には、観察者が実際の輝度差を全く感じ取ることができない。従って、第１実施形態よりも高精度で走査線の配線抵抗ｚに起因した輝度傾斜を実質的に無くすことがきる。また、走査線ドライバ３Ａおよび走査線ドライバ３Ｂの出力端数が全走査線Ｙ１，Ｙ２，Ｙ３，…，Ｙｍに対してｍ／２個になるため、第１実施形態と同様にドライバＩＣの回路規模を低減できる。
【００３３】
尚、第２実施形態では、所定走査線数が１本に設定され、電圧降下の分布を奇数番目の走査線Ｙ１，Ｙ３，Ｙ５，…，Ｙｍ−１および偶数番目の走査線Ｙ２,Ｙ４，Ｙ６，…，Ｙｍ間で互いに逆転させているが、走査線Ｙの総数が極めて多い場合には所定走査線数を２本以上に設定しても同様の効果を得ることができる。また、所定フレーム数が１フレームに設定され、電圧降下の分布を２隣接フレーム間で互いに逆転させているが、フレーム周波数が極めて高い場合には所定フレーム数を２フレーム以上に設定しても同様の効果を得ることができる。
【００３４】
また、スイッチ回路３ＳＡ，３ＳＢは走査線ドライバ３Ａおよび走査線ドライバ３Ｂの外部に付加されたが、これら走査線ドライバ３Ａおよび走査線ドライバ３Ｂ内に設けられてもよい。
【００３５】
次に、本発明の第３実施形態に係る平面表示装置について図面を参照して説明する。
【００３６】
図９はこの平面表示装置の回路構成を概略的に示す。この平面表示装置は走査線駆動回路３の構成を除いて第１実施形態と同様に構成される。このため、図９では、第１実施形態と同様部分を同一参照符号で表し、その詳細な説明を省略する。
【００３７】
走査線駆動回路３は第１実施形態と同様に走査線Ｙ１〜Ｙｍの左端側および右端側にそれぞれ配置される第１および第２走査線ドライバ３Ａ，３Ｂを含む。これら走査線ドライバ３Ａ，３Ｂは複数の表示画素ＰＸを発光させる発光電流によって複数の走査線Ｙの配線抵抗に生じる電圧降下の分布を１フレームという所定フレーム数単位で逆転させるようにそれぞれ構成される。第１走査線ドライバ３Ａは全ての走査線Ｙ１,Ｙ２，Ｙ３，Ｙ４，Ｙ５，…，Ｙｍ−１，Ｙｍの左端に接続され、これら走査線Ｙ１,Ｙ２，Ｙ３，Ｙ４，Ｙ５，…，Ｙｍ−１，Ｙｍを左端から駆動する。第２走査線ドライバ３Ｂは全ての走査線Ｙ１,Ｙ２，Ｙ３，Ｙ４，Ｙ５，…，Ｙｍ−１，Ｙｍの右端に接続され、これら走査線Ｙ１,Ｙ２，Ｙ３，Ｙ４，Ｙ５，…，Ｙｍ−１，Ｙｍを右端から駆動する。
【００３８】
走査線ドライバ３Ａ，３Ｂは走査線Ｙ１，Ｙ２，Ｙ３，Ｙ４，Ｙ５…，Ｙｍ−１，Ｙｍの左端にそれぞれ接続されるｍ個の出力端、走査線Ｙ１，Ｙ２，Ｙ３，Ｙ４，Ｙ５…，Ｙｍ−１，Ｙｍの右端にそれぞれ接続される出力端をそれぞれ有し、各々順次ｍ個の出力端を選択し、選択された出力端から走査信号を出力する。ここで、スタート信号ＳＴはそれぞれ走査線Ｙ１，走査線Ｙ２側から走査を開始するために上述のタイミングコントローラから垂直同期信号に同期して供給され、イネーブル信号ＥＮは出力の可否を制御するためにタイミングコントローラから供給され、クロック信号ＣＫは次ラインに走査位置をシフトさせるためにタイミングコントローラから１水平走査期間毎に供給される。
【００３９】
２隣接フレーム期間のうちの一方では、スタート信号ＳＴ，クロック信号ＣＫおよびイネーブル信号ＥＮが走査線ドライバ３Ａにタイミングコントローラから供給される。これにより、走査線ドライバ３Ａは全ての走査線Ｙ１,Ｙ２，Ｙ３，Ｙ４，Ｙ５，…，Ｙｍ−１，Ｙｍに割り当てられる。図１０は、走査線ドライバ３Ａが２隣接フレーム期間のうちの一方において全ての走査線Ｙ１,Ｙ２，Ｙ３，Ｙ４，Ｙ５，…，Ｙｍ−１，Ｙｍに割り当てられた状態を示す。走査線Ｙ１,Ｙ２，Ｙ３，Ｙ４，Ｙ５，…，Ｙｍ−１，Ｙｍはこのような状態で走査線ドライバ３Ａにより順次駆動される。
【００４０】
２隣接フレーム期間のうちの他方では、スタート信号ＳＴ，クロック信号ＣＫおよびイネーブル信号ＥＮが走査線ドライバ３Ｂにタイミングコントローラから供給される。これにより、走査線ドライバ３Ｂは全ての走査線Ｙ１,Ｙ２，Ｙ３，Ｙ４，Ｙ５，…，Ｙｍ−１，Ｙｍに割り当てられる。図１１は、走査線ドライバ３Ｂが２隣接フレーム期間のうちの他方において全ての走査線Ｙ１,Ｙ２，Ｙ３，Ｙ４，Ｙ５，…，Ｙｍ−１，Ｙｍに割り当てられた状態を示す。走査線Ｙ１,Ｙ２，Ｙ３，Ｙ４，Ｙ５，…，Ｙｍ−１，Ｙｍはこのような状態で走査線ドライバ３Ｂにより順次駆動される。
【００４１】
走査信号は走査電圧端子から供給される負の電圧Ｖyonであり、第１実施形態で説明したように１水平走査期間だけ出力される。各電子放出素子１１では、信号電極の電圧Ｖx(＝Ｖref+ΔＶ)と走査電極の電圧Ｖyとの和がスレッショルドを越えたときに放電が起き、これにより放出される電子ビームが蛍光体１２を励起する。
【００４２】
本実施形態の平面表示装置では、発光電流によって複数の走査線Ｙの配線抵抗ｚに生じる電圧降下の分布が１フレームという所定フレーム数単位で逆転する。すなわち、一方のフレームで、図３と同様な電圧降下の分布が全ての走査線Ｙ１,Ｙ２，Ｙ３，Ｙ４，Ｙ５，…，Ｙｍ−１，Ｙｍに生じる。また、他方のフレームで、図４と同様な電圧降下の分布が全ての走査線Ｙ１,Ｙ２，Ｙ３，Ｙ４，Ｙ５，…，Ｙｍ−１，Ｙｍに生じる。
【００４３】
電圧降下の分布は各走査線Ｙに沿って並ぶ表示画素ＰＸの輝度分布に反映されるが、これら表示画素ＰＸの輝度差は電圧降下の分布が逆転されることによりいずれのフレームでも図５と同様に平均化され、観察者が実際の輝度差を全く感じ取ることができない。従って、第１実施形態と同様に走査線の配線抵抗ｚに起因した輝度傾斜を実質的に無くすことがきる。
【００４４】
尚、第３実施形態では、所定フレーム数が１フレームに設定され、電圧降下の分布を２隣接フレーム間で互いに逆転させているが、フレーム周波数が極めて高い場合には所定フレーム数を２フレーム以上に設定しても同様の効果を得ることができる。
【００４５】
本発明は上述の実施形態に限定されず、その要旨を逸脱しない範囲で様々に変形可能である。
【００４６】
上述の各実施形態では、パルス幅が可変である駆動信号を用いるパルス幅変調駆動方式で信号線Ｘを駆動したが、電圧振幅が可変である駆動信号を用いる電圧振幅駆動方式で信号線Ｘを駆動してもよい。また、パルス幅変調駆動方式および電圧振幅駆動方式を併用してもよい。この場合、パルス幅および電圧振幅が可変である駆動信号が信号線Ｘに供給される。
【００４７】
また、各実施形態では、平面表示装置が例えば横１２８０×縦７２０のカラー表示画素数を持つフィールド・エミッション・ディスプレイ（ＦＥＤ）装置であったが、本発明はカラー表示画素数が例えば横１９２０×縦１０８０であるＦＥＤ装置にも適用できる。
【図面の簡単な説明】
【００４８】
【図１】本発明の第１実施形態に係る平面表示装置の回路構成を概略的に示す図である。
【図２】図１に示す駆動信号発生部で発生されるＰＷＭ駆動信号を示す図である。
【図３】図１に示す奇数番目の走査線の配線抵抗に生じる電圧降下の分布を示す図である。
【図４】図１に示す偶数番目の走査線の配線抵抗に生じる電圧降下の分布を示す図である。
【図５】図３および図４に示す電圧降下の分布を組み合わせたことにより平均化された画素輝度の分布を示す図である。
【図６】本発明の第２実施形態に係る平面表示装置の回路構成を概略的に示す図である。
【図７】図６に示す第１および第２走査線ドライバがそれぞれ奇数番目の走査線および偶数番目の走査線に割り当てられた状態を示す図である。
【図８】図６に示す第１および第２走査線ドライバがそれぞれ偶数番目の走査線および奇数番目の走査線に割り当てられた状態を示す図である。
【図９】本発明の第３実施形態に係る平面表示装置の回路構成を概略的に示す図である。
【図１０】図９に示す第１走査線ドライバが全ての走査線に割り当てられた状態を示す図である。
【図１１】図９に示す第２走査線ドライバが全ての走査線に割り当てられた状態を示す図である。
【符号の説明】
【００４９】
１…表示パネル、２…信号線駆動回路、３…走査線駆動回路、３Ａ…第１走査線ドライバ、３Ｂ…第２走査線ドライバ、３ＳＡ…第１スイッチ回路、３ＳＢ…第２スイッチ回路、４…映像信号処理回路、１１…表面伝導型電子放出素子、１２…蛍光体、３３…切換スイッチ、Ｘ…信号線、Ｙ…走査線、ＰＸ…表示画素。
【図１】
2005284088.tif 000003
【図２】
2005284088.tif 000004
【図３】
2005284088.tif 000005
【図４】
2005284088.tif 000006
【図５】
2005284088.tif 000007
【図６】
2005284088.tif 000008
【図７】
2005284088.tif 000009
【図８】
2005284088.tif 000010
【図９】
2005284088.tif 000011
【図１０】
2005284088.tif 000012
【図１１】
2005284088.tif 000013